(57)【要約】【課題】電照表示装置内に配設される蛍光灯に使用したときに、外部から観察したときの照度むらが小さく、かつ全体的な照度も高い、新規な蛍光灯用反射材を提供すること。また、蛍光灯から発せられる紫外線を遮断し、表示パネル上の広告、案内等の褪色を防止することができる蛍光灯用反射材を提供すること。【解決手段】表示パネルを備えた電照表示装置内に配設される蛍光灯Ａ用の反射材１であって、前記表示パネルに正対する位置に設けられるハーフミラー部１０と、前記蛍光灯Ａの側面から出射される光を前記表示パネルの方向へ反射させる側面反射部１１と、前記表示パネルの方向とは逆方向へ出射される光を遮断しない背抜き部１２とを有することを特徴とする。樹脂フィルムからなるベース材１３には紫外線吸収剤を配合することが好ましい。【選択図】  図１
2004152696.tif 000002
【特許請求の範囲】
【請求項１】
表示パネルを備えた電照表示装置内に配設される蛍光灯用の反射材であって、前記表示パネルに正対する位置に設けられるハーフミラー部と、前記蛍光灯の側面から出射される光を前記表示パネルの方向へ反射させる側面反射部と、前記表示パネルの方向とは逆方向へ出射される光を遮断しない背抜き部とを有してなる蛍光灯用反射材。
【請求項２】
表示パネルを備えた電照表示装置内に配設される蛍光灯用の反射材であって、前記蛍光灯を筒状に被覆可能な樹脂フィルムからなるベース材を備え、前記ベース材には、前記表示パネルに正対して位置するハーフミラー部と、前記蛍光灯の側面から出射される光を前記表示パネルの方向へ反射させる側面反射部と、前記表示パネルの方向とは逆方向へ出射される光を遮断しない背抜き部とが形成されてなる蛍光灯用反射材。
【請求項３】
表示パネルを備えた電照表示装置内に配設される蛍光灯用の反射材であって、前記蛍光灯に被せられるチューブ状のベース材を備え、前記ベース材には、前記表示パネルに正対して位置するハーフミラー部と、前記蛍光灯の側面から出射される光を前記表示パネルの方向へ反射させる側面反射部と、前記表示パネルの方向とは逆方向へ出射される光を遮断しない背抜き部とが形成されてなる蛍光灯用反射材。
【請求項４】
表示パネルを備えた電照表示装置内に配設される蛍光灯用の反射材であって、前記蛍光灯の外周面に貼着可能な一組のラベルからなり、前記一組のラベルは、前記表示パネルに正対する位置に貼着されるハーフミラーのラベルと、前記蛍光灯の側面から出射される光を前記表示パネルの方向へ反射させる側面反射ラベルとから構成され、前記側面反射ラベルは、前記表示パネルの方向と逆方向へ出射される光を遮断しない背抜き部を形成するように貼着される蛍光灯用反射材。
【請求項５】
請求項１〜４のいずれか記載の蛍光灯用反射材において、背抜き部が、蛍光灯から周囲９０〜１７０°の角度に出射される光を遮断しないように形成されることを特徴とする蛍光灯用反射材。
【請求項６】
請求項１〜５のいずれか記載の蛍光灯用反射材において、ハーフミラーの透過率が、１３〜２５％であることを特徴とする蛍光灯用反射材。
【請求項７】
請求項２又は３記載の蛍光灯用反射材において、ベース材に、紫外線吸収剤が配合されていることを特徴とする蛍光灯用反射材。
【発明の詳細な説明】
【０００１】
【発明の属する技術分野】
本発明は、蛍光灯用反射材に関する。さらに詳しくは、駅、ビルその他の建物の構内、地下構内等に設置され、広告、案内等が表示されたパネルを内側から蛍光灯で照らし出す電照表示装置において、その蛍光灯に使用される反射材の技術分野に属する。
【０００２】
【従来の技術】
従来、駅、地下鉄駅、ビルその他の建物内や、地下通路内における壁面、柱、床面等の場所に、広告や案内等が印刷もしくは貼り付けられた表示パネルを内側から照らし出す電照表示装置が設置されている。この電照表示装置は、一般的に、金属製のケース内に、一定間隔で複数の蛍光灯が配設され、これら複数の蛍光灯でケース前面に取り付けられた表示パネルを内側から照らし出すように構成されている。
【０００３】
上記電照表示装置は、外部から観察した場合、表示パネルの内側に蛍光灯が存在している部分が明るく映り、蛍光灯が存在しない部分（すなわち蛍光灯と他の蛍光灯との間の部分）が暗く映るために、全体が縞模様に見えたりして照度にむらができることが指摘されていた。この問題は、特に、ケースを薄くして蛍光灯と表示パネルとを接近させた場合により顕著であった。また、上記電照表示装置は、しばしば薄暗い地下などに設置されるため、全体的に照度を向上させ、広告・案内等の視認性をさらに上げることが望まれていた。これらの問題を解決するため、従来、いくつかの技術が提案されている。
【０００４】
例えば、（特許文献１）には、図１５に示すように、細長の光源２５１に被せることができる細長筒状の透光性ある基体２５２の外周面に、光反射材２５３が設けられた光反射材付光源カバーが開示されている。この光反射材２５３は、例えば、外周面の周方向に間隔をあけて、基体２５２の長手方向に細長に設けられている。
また、（特許文献２）には、図１６に示すように、電照式サイン内に配設される蛍光灯において、その周面の、電照式サインの電照表示板に面する部分に遮光層２６１をそなえ、かつ遮光層２６１が中央部から側方に至るに従い順次遮光度を小になるように構成した電照式サイン用蛍光灯が開示されている。なお、遮光層２６１は、透明フィルム２６２の上に直接印刷する等して設けられる。
【０００５】
さらに、（特許文献３）には、電照表示装置に関するものではないが、図１７に示すように、筒状に形成され内部を蛍光灯収容空間２７１とし、蛍光灯２７２の上部側を覆う反射フィルム部２７３と、蛍光灯２７２の下部側を覆う透光フィルム部２７４とを有する蛍光灯カバーであって、反射フィルム部２７３の側縁を、透光フィルム部２７４の側縁よりも延出して、側縁部に、透光フィルム部２７４を通過して横へ逃げる光を反射する反射耳部２７５を形成した蛍光灯カバーが開示されている。
【０００６】
上記（特許文献１）、（特許文献２）では、蛍光灯の、表示パネルに最も近い位置から照射される光が遮られ、外部から観察したときに明るい部分の照度が低下するために照度のむらは若干改善されるが、一方で照度が全体的に低下し、視認性が悪くなるという問題点があった。
また、（特許文献３）の場合には、蛍光灯の横へ逃げる光を広角に反射する効果よりも、真下の照度を上げる効果が大きく、したがって、全体的な照度は向上するものの、照度のむらは逆に強調される傾向があった。
【０００７】
さらに、別の問題として、従来の電照表示装置においては、蛍光灯から発せられる紫外線が、表示パネル上の広告、案内等に一定期間あるいは長期間にわたり照射され、その結果、広告、案内等が褪色するという問題があった。
【０００８】
【特許文献１】
特開２０００−２８５７１１号公報
【特許文献２】
実開昭６１−３４１８８号公報
【特許文献３】
特開２０００−３１１５１１号公報
【０００９】
【発明が解決しようとする課題】
そこで本発明は、上記従来の状況に鑑み、電照表示装置内に配設される蛍光灯に使用したときに、外部から観察したときの照度むらが小さく、かつ全体的な照度も高い、新規な蛍光灯用反射材を提供することを目的とする。
【００１０】
また本発明は、蛍光灯から発せられる紫外線を遮断し、表示パネル上の広告、案内等の褪色を防止することができる新規な蛍光灯用反射材を提供することを目的とする。
【００１１】
【課題を解決するための手段】
上記課題を解決するため、本発明の蛍光灯用反射材は、請求項１として、表示パネルを備えた電照表示装置内に配設される蛍光灯用の反射材であって、前記表示パネルに正対する位置に設けられるハーフミラー部と、前記蛍光灯の側面から出射される光を前記表示パネルの方向へ反射させる側面反射部と、前記表示パネルの方向とは逆方向へ出射される光を遮断しない背抜き部とを有することを特徴とする。
【００１２】
上記構成によれば、蛍光灯の、表示パネルに最も近い位置から出射される光の強度は、ハーフミラー部によって調整されるとともに、側面反射部からの光が表示パネルを照らして全体的な照度を向上させる。また、背抜き部を透過した光は、電照表示装置の内壁で反射され、蛍光灯と他の蛍光灯との間を照らして表示パネル全体の照度のむらをなくし、もしくは低減する。
【００１３】
また、請求項２は、表示パネルを備えた電照表示装置内に配設される蛍光灯用の反射材であって、前記蛍光灯を筒状に被覆可能な樹脂フィルムからなるベース材を備え、前記ベース材には、前記表示パネルに正対して位置するハーフミラー部と、前記蛍光灯の側面から出射される光を前記表示パネルの方向へ反射させる側面反射部と、前記表示パネルの方向とは逆方向へ出射される光を遮断しない背抜き部とが形成されたことを特徴とする。
【００１４】
上記構成によれば、請求項１の作用に加えて、樹脂フィルムのベース材を用いているために、蛍光灯への取り付けが容易に行われる。
【００１５】
また、請求項３は、表示パネルを備えた電照表示装置内に配設される蛍光灯用の反射材であって、前記蛍光灯に被せられるチューブ状のベース材を備え、前記ベース材には、前記表示パネルに正対して位置するハーフミラー部と、前記蛍光灯の側面から出射される光を前記表示パネルの方向へ反射させる側面反射部と、前記表示パネルの方向とは逆方向へ出射される光を遮断しない背抜き部とが形成されたことを特徴とする。
【００１６】
上記構成によれば、請求項１の作用に加えて、チューブ状のベース材が、蛍光灯を保護し、衝撃等によって蛍光灯を破損した場合にガラスが飛散するのを防止する。
【００１７】
また、請求項４は、表示パネルを備えた電照表示装置内に配設される蛍光灯用の反射材であって、前記蛍光灯の外周面に貼着可能な一組のラベルからなり、前記一組のラベルは、前記表示パネルに正対する位置に貼着されるハーフミラーのラベルと、前記蛍光灯の側面から出射される光を前記表示パネルの方向へ反射させる側面反射ラベルとから構成され、前記側面反射ラベルは、前記表示パネルの方向と逆方向へ出射される光を遮断しない背抜き部を形成するように貼着されることを特徴とする。
【００１８】
上記構成によれば、ハーフミラーのラベルと側面反射ラベルとを、蛍光灯の外周面の所定の位置に貼着することにより、表示パネル上における照度の向上と、照度むらの低減とが同時に達成される。
【００１９】
また、請求項５は、請求項１〜４のいずれか記載の蛍光灯用反射材において、背抜き部が、蛍光灯から周囲９０〜１７０°の角度に出射される光を遮断しないように形成されることを特徴とする。
【００２０】
上記構成によれば、側面反射部によって照度を上げる効果と、背抜き部を通過した光が、蛍光灯と他の蛍光灯との間を照らして照度むらを低減する効果とのバランスを考慮して、背抜き部の範囲が特定される。
【００２１】
また、請求項６は、請求項１〜５のいずれか記載の蛍光灯用反射材において、ハーフミラーの透過率が、１３〜２５％であることを特徴とする。
【００２２】
上記構成によれば、表示パネルと蛍光灯とが最も接近する位置において、照度を適度に低下させ、その周辺との間で照度の違いが視認されない程度に、ハーフミラーの透過率が最適化される。
【００２３】
さらに、請求項７は、請求項２又は３記載の蛍光灯用反射材において、ベース材に、紫外線吸収剤が配合されていることを特徴とする。
【００２４】
上記構成によれば、蛍光灯から出射される紫外線が、ベース材で吸収されるため、表示パネル上の広告、案内等の褪色が防止される。
【００２５】
【発明の実施の形態】
以下、本発明を詳細に説明する。
まず、本発明の実施の形態（１）について、図１〜６に基づき説明する。図１に示すように、本発明の蛍光灯用反射材１は、表示パネルを備えた電照表示装置内に配設される蛍光灯Ａに用いる反射材であって、表示パネルに正対する位置に設けられるハーフミラー部１０と、蛍光灯Ａの側面から出射される光を表示パネルの方向へ反射させる側面反射部１１、１１’と、さらに、表示パネルの方向とは逆方向へ出射される光を遮断しない背抜き部１２とを備えて概略構成されている。
【００２６】
そして、この実施の形態（１）では、上記ハーフミラー部１０、側面反射部１１、１１’が、樹脂フィルムからなるベース材１３の表面に形成され、その側面反射部１１、１１’の間の露出したベース材１３が、背抜き部１２として機能している。なお、ベース材１３は、蛍光灯Ａを筒状に被覆できるようになっている。
【００２７】
さらに具体的には、図２に示すように、ベース材１３は、２枚の透明な樹脂フィルム１３１、１３２を重ね合わせ、端部１３３、１３３’を接着、融着等の手段により一体化して構成されている。端部１３３、１３３’を互いに近づけると、図３に示すように、中央の樹脂フィルム１３１、１３２が互いに離れて筒状となるので、その内部の空間へ蛍光灯Ａを挿入するようになっている。
【００２８】
ハーフミラー部１０は、蛍光灯Ａから出射される光の一部を反射し、一部を透過させる部分である。一般的には、アルミニウム等の金属箔をベース材１３上に貼着したり、あるいはベース材１３上にアルミニウム等の金属を直接蒸着する等の手段により形成される。
【００２９】
ハーフミラー部１０の透過率は、小さすぎると蛍光灯Ａからの光を遮断して照度が全体的に低下してしまい、逆に大きすぎると照度のむらを生ずるので、これらのバランスを考慮して適宜設定される。具体的には１３〜２５％程度とすることが好ましい。
【００３０】
また、ハーフミラー部１０の幅は、蛍光灯Ａのサイズ（直径）や、蛍光灯Ａを電照表示装置内に設置したときの表示パネルまでの距離等によって異なるが、一般的には、ハーフミラー部１０の幅に対応する蛍光灯Ａからの出射角度αにして、１０〜４５°、就中１５〜４０°とすることが好ましい。
【００３１】
側面反射部１１、１１’は、表面の反射率が大きく、蛍光灯Ａからの光を十分に反射するように構成されている。具体的には、アルミニウム等の金属箔をベース材１３上に貼着したり、アルミニウム等の金属を蒸着したり、あるいは白色等の明度の高い塗料をベース材１３上に塗布する等の手段により形成される。
【００３２】
背抜き部１２は、蛍光灯Ａに対してハーフミラー部１０の反対側に位置し、蛍光灯Ａからの光を遮断せずに透過させる部分である。この実施の形態（１）の場合には、側面反射部１１、１１’の間の透明な樹脂フィルム１３２が、背抜き部１２として機能している。
【００３３】
背抜き部１２の幅は、蛍光灯Ａのサイズ等に応じて適宜設定できるが、一般に、広すぎると相対的に側面反射部１１、１１’の範囲が狭くなり、表示パネル上の照度が全体的に低下する傾向がある。また、逆に背抜き部１２の幅が狭すぎると、背抜き部１２を通過する光に比べて側面反射部１１、１１’で反射される光が多くなり、結果として表示パネル上に照度のむらを生ずるので好ましくない。具体的には、背抜き部１２の幅に対応する蛍光灯Ａからの出射角度βにして、９０〜１７０°、就中１２０〜１６０°程度とすることが好ましい。
【００３４】
また、ベース材１３として用いる樹脂フィルム１３１、１３２は、透明であり、かつ一定期間にわたって蛍光灯Ａに接触させた場合に、その熱や光で変色等の劣化を起こさず、あるいは劣化が少ない材料であれば適用可能である。具体的には、ポリエチレンフィルム、ナイロンフィルムや、ポリエチレンテレフタレート等のポリエステルフィルム等が挙げられる。
【００３５】
以上のような蛍光灯用反射材１を使用する際には、図４に示すように、蛍光灯用反射材１を装着した蛍光灯Ａを、表示パネルＢと金属製ケースＣとからなる電照表示装置Ｄに複数配設する。このとき、ハーフミラー部１０は、表示パネルＢに正対するように取り付ける。
【００３６】
図５は、電照表示装置Ｄ内に、蛍光灯Ａを複数配設した状態を示す側面図である。蛍光灯Ａを点灯させると、蛍光灯Ａの、表示パネルＢに最も近い位置から出射される光５０の強度は、ハーフミラー部１０によって調整され、適度に低下する。それとともに、側面反射部１１、１１’で反射された光５１が表示パネルＢを照らして全体的な照度を向上させる。また、背抜き部１２を透過した光５２は、金属製ケースＣの内面で反射され、蛍光灯Ａと他の蛍光灯Ａ’との間を照らして表示パネルＢ全体の照度のむらをなくし、もしくは低減することになる。
【００３７】
なお、ベース材１３には、紫外線吸収剤を配合することができる。これにより、蛍光灯Ａからの紫外線を遮断、吸収するため、表示パネルＢ上の印刷物Ｅの褪色を防止することができる。配合する紫外線吸収剤としては、従来知られた物質を適宜選択して用いることができる。具体的には、ベンゾフェノン系、あるいはベンゾトリアゾール系、シアノアクリレート系等の材料が好適に用いられる。配合する量は、吸収剤の種類等によって異なり、特に限定されるものではないが、ベース材１３全体に対して、０．００１〜０．５重量％、就中０．０１〜０．３重量％とすることが好ましい。
【００３８】
さらに、この実施の形態（１）では、図６に示すように、蛍光灯Ａを蛍光灯用反射材１に挿入して取り付けた際に、蛍光灯用反射材１の端にシール部１３４を設けて蛍光灯Ａのガラス管部分を密封することができる。具体的には、ベース材１３の端を、例えば２枚のフィルムで上下から接着、融着等の手段によって一体化して行うことができる。このとき、シール部１３４の両端は、少なくとも蛍光灯用反射材１の端部１３３、１３３’にかかるか、これよりも外側へはみ出すことが好ましい。これにより、蛍光灯Ａと蛍光灯用反射材１との隙間に外部から虫、ごみ等が入り込むことがなくなる。また、蛍光灯Ａに衝撃が加わる等して万が一破損した場合には、破片がベース材１３の外へ飛散しないため安全性に優れている。なお、蛍光灯Ａを交換する場合を考慮して、シール部１３４は再び剥がせるようにしても良い。
【００３９】
次に、本発明の実施の形態（２）を図７及び８に示す。この実施の形態では、上記実施の形態（１）と同様に、ハーフミラー部１０と、側面反射部１１、１１’とが、樹脂フィルムからなるベース材１３上に形成され、側面反射部１１と１１’との間の透明な部分が、背抜き部１２になっている。そして、この蛍光灯用反射材１は、蛍光灯Ａの周囲に巻き付けて使用される。なお、図７のように巻き付ける形態ではなく、予め筒状で成形されていても良い。
【００４０】
この実施の形態（２）に係る蛍光灯用反射材１を装着した蛍光灯Ａを、電照表示装置Ｄ内に配設した場合には、図８に示すように、蛍光灯用Ａの側面から出射される光５１は、側面反射部１１、１１’で反射され、蛍光灯Ａの内部に再度戻ってから表示パネルＢの方向へ進行することになる。その結果、ハーフミラー部１０、側面反射部１１、１１’、背抜き部１２が相まって、照度の向上とむらの低減とが同時に達成されることとなる。
【００４１】
なお、蛍光灯用反射材１の各部分の構成や、ハーフミラー部１０及び背抜き部１２の幅などの事項に関しては、上記実施の形態（１）の場合に準ずる。
【００４２】
次に、本発明の実施の形態（３）について図９及び１０に基づき説明する。この実施の形態（３）では、上記実施の形態（１）及び（２）の樹脂フィルムからなるベース材１３に代えて、チューブ状のベース材１４を採用している。すなわち、チューブ状のベース材１４上に、ハーフミラー部１０と側面反射部１１、１１’とが形成され、側面反射部１１、１１’の間の透明な部分が、背抜き部１２になっている。
【００４３】
そして、この蛍光灯用反射材１を蛍光灯Ａに取り付ける際には、チューブ状のベース材１４を、蛍光灯Ａに被せ、両側にキャップ１５、１５’をはめ込むことにより装着される。
【００４４】
チューブ状のベース材１４は、保形性を有し、透明な材料であれば適用可能である。例えば、ポリエチレン、ポリエステル、ポリメチルメタクリレート等の樹脂をチューブ状に成形して得ることができる。
【００４５】
この実施の形態では、キャップ１５、１５’を蛍光灯Ａの両側にはめ込むことにより、図１０に示すように、蛍光灯Ａとチューブ状のベース材１４とがギャップ１６を介して離間して保持されるため、外部から衝撃が加わった場合に、蛍光灯Ａの破損を防止することができる。また、万が一破損した場合にも、破片がベース材１４の外へ飛散しないので安全性に優れている。さらに、キャップ１５、１５’をはめ込むことによって、ギャップ１６内に虫などが入り込むのを防止することができる。
【００４６】
この実施の形態（３）に係る蛍光灯用反射材１を装着した蛍光灯Ａを、電照表示装置Ｄ内に配設した場合には、上記実施の形態（２）と同様に、蛍光灯Ａから出射された光５０が、ハーフミラー部１０によって調整され、それとともに、側面反射部１１、１１’で反射された光５１が蛍光灯Ａの内部に再度戻ってから表示パネルＢの方向へ進行する。また、背抜き部１２を透過した光５２が、金属製ケースＣの内面で反射され、蛍光灯Ａと他の蛍光灯Ａ’との間を照らすことになる。そのため、表示パネルＢ上の照度を全体的に向上させ、むらを低減することができる。
【００４７】
なお、蛍光灯用反射材１の各部分の構成や、ハーフミラー部１０及び背抜き部１２の幅、ベース材１４に紫外線吸収剤を配合できること等の事項に関しては、上記実施の形態（１）及び（２）の場合に準ずる。
【００４８】
次に、本発明の実施の形態（４）を、図１１及び１２に基づき説明する。この蛍光灯用反射材１は、蛍光灯Ａの外周面に貼着可能な一組のラベルからなる。そして、その一組のラベルは、表示パネルに正対する位置に貼着されるハーフミラーのラベル１７と、蛍光灯Ａの側面から出射される光を表示パネルの方向へ反射させる側面反射ラベル１８、１８’とから構成されている。側面反射ラベル１８、１８’は、表示パネルの方向に対し逆方向へ出射される光を遮断せずに通過させる位置に、それぞれ貼着される。すなわち、側面反射ラベル１８、１８’の間の、蛍光灯Ａの外周面が露出している部分が、背抜き部１２として機能することになる。
【００４９】
図１２は、この実施の形態（４）に係る蛍光灯用反射材１が装着された蛍光灯Ａを、電照表示装置Ｄ内に配設した状態を示している。蛍光灯Ａから出射された光５０、５１、５２は、上記実施の形態（１）〜（３）と同様に、それぞれ照度が調節され、あるいは反射されて、表示パネルＢ上の照度を向上させるとともに照度のむらを低減している。
その他の、ハーフミラーのラベル１７の透過率、幅、背抜き部１２の幅等の事項は、上記実施の形態（１）〜（３）に準ずる。
【００５０】
【実施例】
以下、実施例により本発明をさらに具体的に説明するが、これらに限定されるものではない。
（実施例１）
蛍光灯用反射材として、図１に示す形態のものを作製した。すなわち、ベース材として、２枚のポリエチレンテレフタレートフィルムを使用し、一方のフィルムには所定の位置に透過率２０％のアルミ箔を貼着し、ハーフミラー部を形成した。また、他方のフィルムには、所定の位置（２カ所）にアルミ箔を貼着し、側面反射部を形成するとともに、２カ所の側面反射部の間に背抜き部を形成した。そして、これらのフィルムを重ね合わせ、端部を熱融着でシールすることにより、目的の蛍光灯用反射材を作製した。作製した蛍光灯用反射材は、図２において、シールした端部を除いた幅Ｌを６８ｍｍ、シールした端部の幅ｌをそれぞれ５ｍｍ、ハーフミラー部の幅ｈは５ｍｍに設定した。
【００５１】
上記の蛍光灯用反射材に、直径３２．５ｍｍの蛍光灯（レギュラーサイズ）を挿入した状態で、電照表示装置内に２本配設した。続いて、図５に示すように、表示パネル（アクリル板、厚さ３ｍｍ）上の、蛍光灯に最も近い位置Ｑと、Ｑから外側へ１００ｍｍ移動した位置Ｒと、Ｑから他方の蛍光灯側へ１００ｍｍ移動した位置Ｐにおける照度を測定した。この測定を、背抜き部の幅Ｈ、すなわち背抜き部を通過させる蛍光灯からの光の出射角度（図３における出射角度β）を変えた場合について、それぞれ行った。また、比較例として、背抜き部を形成しない場合（側面反射部が蛍光灯用反射材の下面の全部を覆う場合）、及びハーフミラー部のみを形成した場合についてもそれぞれ測定した。なお、蛍光灯から表示パネルまでの距離Ｘ１は９０ｍｍ、蛍光灯から電照表示装置の底面までの距離Ｘ２は６０ｍｍであった。測定結果を表１、及び図１３に示す。
【００５２】
【表１】
2004152696.tif 000003
【００５３】
図１３の結果から、背抜き部を形成しない場合（Ｈが０の場合）は、照度は高いものの、ＰとＱの位置における照度差が大であり、照度にむらを生じることがわかった。目視で観察した場合にも、蛍光灯の形が表示パネルの外側から視認され、広告等を照らし出す電照表示装置としては不適であった。これに対して、Ｈが３６、４８、６０の場合は、いずれも照度が全体的に高く、また、各位置間の照度の差も非常に小さかった。特に、Ｈが３６、４８の場合は、外部から観察した場合に照度のむらは全く視認されなかった。
さらに、ハーフミラー部のみを形成した場合は、照度のむらは比較的低減されたが、照度が全体的に低く、電照表示装置としては不適であった。
【００５４】
（実施例２）
挿入する蛍光灯を、直径２７ｍｍのものにした以外は、上記実施例１と同様にして、表示パネル上の照度を測定した。測定結果を表２、及び図１４に示す。
【００５５】
【表２】
2004152696.tif 000004
【００５６】
図１４から明らかなように、Ｈが、３６、４８、５４、及び６０の場合は、いずれもＰとＱとの照度差がほとんどなく、照度のむらは観察されなかった。一方、比較例である背抜き部を形成しない場合（Ｈが０の場合）には、照度は高いものの、照度むらが顕著であり、電照表示装置として不適であった。
【００５７】
（参考例）
参考として、厚さ０．５ｍｍのアクリル製チューブを製造し、これを蛍光灯へ被せて装着した場合の照度の変化を測定した。測定は、チューブを装着した場合と、装着しない場合（蛍光灯そのままの場合）とで、蛍光灯から３０ｃｍ離れた位置における照度（ｌｘ、Ｗ／ｍ２）を測定した。測定結果を表３に示す。
【００５８】
【表３】
2004152696.tif 000005
【００５９】
表３の結果から、チューブを装着しても照度はほとんど低下せず、実用上全く問題ないことが示された。
【００６０】
【発明の効果】
以上、本発明の蛍光灯用反射材は、表示パネルに近い位置からの光をハーフミラー部によって調節し、側面反射部によって蛍光灯の側面から出射される光を表示パネルの方向へ反射させ、さらに、表示パネルとは反対側へ出射される光を、背抜き部によって蛍光灯と他の蛍光灯との間の暗部へ誘導する。したがって、ハーフミラー部、側面反射部、及び背抜き部の各部分があいまって、全体として、照度の向上と、照度むらの低減とを図ることができる。
【００６１】
また、反射材を構成する樹脂フィルム、チューブ等に紫外線吸収剤を配合したため、蛍光灯から出射される紫外線を効果的に吸収し、表示パネル上の広告、案内等の褪色を防止することができる。
【図面の簡単な説明】
【図１】実施の形態（１）を示す斜視図である。
【図２】実施例に係る蛍光灯用反射材を示す側面図である。
【図３】実施の形態（１）に係る蛍光灯用反射材を蛍光灯に取り付けた状態を示す側面図である。
【図４】電照表示装置を示す斜視図である。
【図５】電照表示装置内での光の反射状態を説明する図である。
【図６】実施の形態（１）に係る蛍光灯用反射材を蛍光灯に取り付けた状態を示す部分斜視図である。
【図７】実施の形態（２）を示す斜視図である。
【図８】電照表示装置内での光の反射状態を説明する図である。
【図９】実施の形態（３）を示す斜視図である。
【図１０】電照表示装置内での光の反射状態を説明する図である。
【図１１】実施の形態（４）を示す斜視図である。
【図１２】電照表示装置内での光の反射状態を説明する図である。
【図１３】実施例１の測定結果を示すグラフである。
【図１４】実施例２の測定結果を示すグラフである。
【図１５】従来の蛍光灯用反射材を示す図である。
【図１６】従来の蛍光灯用反射材を示す図である。
【図１７】従来の蛍光灯用反射材を示す図である。
【符号の説明】
１                蛍光灯用反射材
１０              ハーフミラー部
１１、１１’      側面反射部
１２              背抜き部
１３              ベース材
１４              ベース材
１５、１５’      キャップ
１６              ギャップ
１７              ハーフミラーのラベル
１８、１８’      側面反射ラベル
５０、５１、５２  光
１３１、１３２    樹脂フィルム
１３３、１３３’  端部
１３４            シール部
２５１            光源
２５２            基体
２５３            光反射材
２６１            遮光層
２６２            透明フィルム
２７１            蛍光灯収容空間
２７２            蛍光灯
２７３            反射フィルム部
２７４            透光フィルム部
２７５            反射耳部
Ａ、Ａ’          蛍光灯
Ｂ                表示パネル
Ｃ                金属製ケース
Ｄ                電照表示装置
Ｅ                印刷物
α、β          出射角度
【図１】
2004152696.tif 000006
【図２】
2004152696.tif 000007
【図３】
2004152696.tif 000008
【図４】
2004152696.tif 000009
【図５】
2004152696.tif 000010
【図６】
2004152696.tif 000011
【図７】
2004152696.tif 000012
【図８】
2004152696.tif 000013
【図９】
2004152696.tif 000014
【図１０】
2004152696.tif 000015
【図１１】
2004152696.tif 000016
【図１２】
2004152696.tif 000017
【図１３】
2004152696.tif 000018
【図１４】
2004152696.tif 000019
【図１５】
2004152696.tif 000020
【図１６】
2004152696.tif 000021
【図１７】
2004152696.tif 000022